(57)【要約】【課題】本発明は、安価なコストで、薬液の容量増加に対処できる薬液注入装置の増設構造および増設方法を提供する。【解決手段】本発明の増設構造および増設方法は、ドレン口部１０ａ，１０ｂを有する薬液槽６と、該薬液槽内の薬液を薬液注入対象物に注入する注入機器１４，１５，２０とを組合わせて構成される薬液注入装置１と、薬液注入装置１から注入機器１４，１５，２０を取り除いて残る薬液槽６から構成される増設用器２ａ〜２ｅとを設け、薬液注入装置の薬液槽６のドレン口部１０ａと、増設用器２ａ〜２ｄの薬液槽６のドレン口部１０ｂとを接続して薬液槽６，６相互をつなぐようにした。これにより、既設置ずみの薬液注入装置１をそのまま利用して、大容量の薬液量が貯溜される。【選択図】      図１
2006075674.tif 000002
【特許請求の範囲】
【請求項１】
周壁の下部にドレン口部を有し内部に薬液が貯溜される薬液槽と、該薬液槽内の薬液を薬液注入対象物に注入する注入機器とを組合わせて構成される薬液注入装置と、
前記薬液注入装置から前記注入機器を取り除いて残る前記薬液槽から構成される増設用器とを有し、
前記薬液注入装置の薬液槽のドレン口部と、前記増設用器の薬液槽のドレン口部とを接続手段により接続して薬液槽相互を連通させてなる
ことを特徴とする薬液注入装置の増設構造。
【請求項２】
前記増設用器は、複数有し、これら複数の増設用器の薬液槽は、異なる地点にそれぞれドレン口部を有して構成され、これら増設用器の薬液槽が、前記薬液注入装置の薬液槽に、数珠繋ぎに接続可能であることを特徴とする請求項１に記載の薬液注入装置の増設構造。
【請求項３】
周壁の下部にドレン口部を有し内部に薬液が貯溜される薬液槽、該薬液槽内の薬液を薬液注入対象物に注入する注入機器とを組合わせて構成される薬液注入装置と、
前記薬液注入装置から前記注入機器を取り除いて残る前記薬液槽から構成される増設用器とを有し、
前記薬液注入装置の薬液槽のドレン口部に、前記増設用器の薬液槽のドレン口部を接続して、前記薬液注入装置の薬液槽に前記増設用器の薬液槽をつなぐ
ことを特徴とする薬液注入装置の増設方法。
【請求項４】
前記増設用器は、複数有し、これら複数の増設用器の薬液槽は、異なる地点にそれぞれドレン口部を有して構成され、これら増設用器の薬液槽が、前記薬液注入装置の薬液槽に、数珠繋ぎに接続されることを特徴とする請求項３に記載の薬液注入装置の増設方法。
【発明の詳細な説明】
【技術分野】
【０００１】
本発明は、例えば配管経路を流れる流体に薬液を注入する薬液注入装置の増設構造および増設方法に関する。
【背景技術】
【０００２】
近年、井戸の水を給水するシステムでは、衛生面の向上のため、除菌装置を用いて井戸水を除菌することが進められている。
【０００３】
除菌装置の多くには、井戸水に薬液を注入する薬液注入装置が用いられる。この薬液注入装置のほとんどは、薬液を貯溜する薬液槽に、薬液を圧送する薬液注入ポンプや、圧送された薬液を配管などに注入する薬液注入部や、薬液ポンプの運転を制御する制御部など、薬液注入に必要な注入機器を組付けて構成される。そして、薬液注入装置は、薬液注入部を薬液対象物、例えば井戸水が流れる給水ラインの配管に接続して、薬液注入ポンプを運転することにより、薬液槽内の薬液を給水ラインの井戸水へ注入するようにしていた（特許文献１を参照）。
【０００４】
ところで、井戸水を給水するシステムなどでは、給水仕様が途中から変更（例えば大容量の井戸水を汲み上げるようになった場合など）し、それに伴い大容量の薬液が必要となることがある。つまり、消費する薬液量の増加により、当初の薬液注入装置の薬液槽では容量が不足するために、大容量の薬液槽が必要される。
【０００５】
このような場合、薬液注入装置は、薬液槽と薬液注入に必要な注入機器とでユニット化されている構造となっているために、既存の薬液注入装置の代わりに、新規に大形の薬液槽が付いた特注の薬液注入装置を設置して、井戸水に薬液を注入していた。
【特許文献１】実開平７−２２０７７号公報
【発明の開示】
【発明が解決しようとする課題】
【０００６】
ところが、使用する薬液が増加する状況になる都度、新規に薬液注入装置の全体を交換するのでは、使用者にかなりのコストを強いる問題がある。
【０００７】
そこで、本発明の目的は、安価なコストで、薬液の容量増加に対処できる薬液注入装置の増設構造および増設方法を提供することにある。
【課題を解決するための手段】
【０００８】
請求項１、請求項３に記載の発明は、上記目的を達成するために、周側にドレン口部を有し内部に薬液が貯溜される薬液槽と、該薬液槽内の薬液を薬液注入対象物に注入する注入機器とを組合わせて構成される薬液注入装置と、薬液注入装置から注入機器を取り除いて残る薬液槽から構成される増設用器とを設け、薬液注入装置の薬液槽のドレン口部と、増設用器の薬液槽のドレン口部とを接続して薬液槽相互をつなぐ増設構造や増設方法を採用して、大容量の薬液量が確保されるようにした。
【０００９】
請求項２、請求項４に記載の発明は、さらに多くの薬液容量が簡便に確保されるよう、複数の増設用器が、薬液注入装置の薬液槽に、数珠繋ぎに接続されるようにした。
【発明の効果】
【００１０】
請求項１、請求項３に記載の発明によれば、既設の薬液注入装置に、薬液槽に形成されているドレン口部を用いて、増設用器の薬液槽を接続するだけで、大容量の薬液量が確保できる。つまり、新規に薬液注入装置を設置せずに、既設置ずみの薬液注入装置をそのまま利用して、大容量の薬液量が貯溜可能となる。しかも、増設用器は、薬液注入装置から注入機器を除いた部品で構成されるので、別途、特別に大きな槽を発注して製作するのとは異なり、若干の変更があっても増設に費やすコストは安価である。
【００１１】
それ故、安価なコストで、薬液の容量増加に対処できる。
【００１２】
請求項２、請求項４に記載の発明によれば、上記効果に加え、数珠繋ぎ式に増設用器を追加するだけで、どのような多くの薬液容量にも簡便に対処できるといった効果を奏する。
【発明を実施するための最良の形態】
【００１３】
［一実施形態］
以下、本発明を図１〜図５に示す一実施形態にもとづいて説明する。
【００１４】
図１は薬液注入装置の増設構造、例えば井戸水の除菌に用いられる除菌装置の増設構造の正面図を示し、図２は同増設構造の平面図を示している。同図中１は除菌装置を示し、２ａ〜２ｅ（図２にのみ図示）は、除菌装置１に隣接して設置された複数の増設用薬液タンク（本願の増設用薬液器に相当）を示している。図４には除菌装置１の構造が拡大して示され、図５には増設用薬液タンクの構造が拡大して示されている。
【００１５】
ここで、図４を参照して除菌装置１の構造を説明すると、同中５は、例えば金属部材で形成された矩形盤状のベース、６は同ベース５上に設置された例えば合成樹脂製の箱形の薬液タンク（本願の薬液槽に相当）である。薬液タンク６の内部には、薬液タンク６の上部に設けた薬液投入口部７から投入される薬液、例えば井戸水を除菌するのに使用する薬液（図示しない）が貯溜される。なお、８は薬液投入部７の開口を塞ぐキャップを示す。また薬液タンク６の幅方向両側を形成する壁部６ｘ（周壁に相当）の下部には、それぞれドレン口部１０ａ，１０ｂが設けられている。これら異なる地点にあるドレン口部１０ａ，１０ｂの開口部は、いずれも閉止具、例えばプラグ１１で閉止してある。１２は薬液タンク６の一方の側壁に組込まれた液量計を示す。
【００１６】
薬液タンク６の前面側には、薬液タンク６内の薬液を注入する各種の注入機器として、例えば薬液注入ポンプ１４、薬液注入モジュール１５、制御部となる電装箱２０などが組込まれている。このうち薬液注入ポンプ１４や薬液注入モジュール１５の組込み構造としは、薬液タンク６の前面壁６ａの中段から下段の壁部分６ｂを、他の部分より後方へ退避させ、さらに同壁部分６ｂの中央部分６ｃを後方へ退避させて、これら壁部分６ｂ，６ｃと、この壁部分６ｂ，６ｃの退避によって現れたベース１の前部とで囲まれる空間に機器収容域Ａを形成する。そして、この機器収納域Ａの上側の空間に、薬液タンク６内の薬液を圧送する薬液注入ポンプ１４を設置し、機器収納域Ａの最下部となるベース１の前部上に、井戸水の給水配管Ｘ（図３中に二点鎖線で図示：薬液注入対象物）中に接続可能な薬液注入モジュール１５を設置する構造が用いられている。ここで、薬液注入モジュール１３は、例えば左右方向に延びる細長のパイプ状部材を本体部１６として、その両端に、井戸水の給水配管Ｘ（図４中に二点鎖線で図示：薬液注入対象物）と接続可能な入口部１７と出口部１８とを形成する。そして、この本体部１５の上流側に、流量センサ部１９（一部しか図せず）を組付け、下流側に形成した薬液注入部１６ａに、薬液注入ポンプ１４の吐出部から延びるホース１４ａ端を連通接続させた構造が用いられている。
【００１７】
電装箱２０の組込みには、薬液タンク６の前面壁６ａの上段の壁部分６ｄ中央（図１中に点線で図示）を退避させて凹状の機器収容空間（図示しない）を形成し、この機器収容空間に、表面に操作パネル２１を有する電装箱２０を収める構造が用いられている。そして、この電装箱２０から延びる各種配線ケーブル２２が、薬液注入ポンプ１４、流量センサ部１９などに接続してある。そして、操作パネル２１からの操作で、電装箱２０内に組まれた制御回路の指令にしたがい、薬液注入モジュール１０内を流れる井戸水（流体）に、流量センサ部１９で検出される流量に応じた薬液を注入、すなわち薬液注入モジュール１０内を通過する井戸水の流量に比例した量の薬液が注入されるようにしている。
【００１８】
なお、２３は、薬液タンク２の前部に設けられた、電装箱２０の前面および機器収容域Ａの最前部を覆い隠す前面カバー、２４はベース５の幅方向両側部に形成された一対の固定用座を示す。
【００１９】
一方、増設用薬液タンク２ａ〜２ｅは、いずれも同じ構造である。同薬液タンク２ａ〜２ｅは、図５に示されるように上記した除菌装置１から注入機器を取り除いた、残る薬液タンク６を主体とした構造で構成されている。すなわち、増設用薬液タンク２ａ〜２ｅは、薬液注入ポンプ１４、薬液注入モジュール１５、電装箱２０、配線ケーブル２２を無くし、一部を変更した構造が用いられている。具体的には、増設用薬液タンク２ａ〜２ｅは、いずれも例えばベース５、薬液タンク６、液量計１２、前面カバー２３を残し、薬液タンク６の背面壁６ｙの下部に、別途、ドレン口部１０ｃを追加した構造が用いられている。
【００２０】
他方、図１および図２中、２５は増設タンク用接続部（本願の接続手段に相当）を示す。同接続部２５には、各薬液タンク６で共通構造となっているドレン口部１０ａ〜１０ｃに装着可能な一対のニップル２６、ニップル２６間をつなぐホース部材２７（中継用の管部材）、同ホース部材２７間に介装される開閉コック２８（開閉弁）を組み合わせた構造が用いられる。この増設タンク用接続部２５によって、除菌装置１の薬液タンク６のドレン口部１０ａあるいは１０ｂに、隣接した増設用薬液タンク２ａの薬液タンク６のドレン口部１０ａ〜１０ｃのいずれかを接続したり、同増設用薬液タンク２ａの残るドレン口部に、同タンク２ａと隣接した他の増設用薬液タンク２ｂ〜２ｅのドレン口部１０ａ〜１０ｃに接続することにより、薬液槽相互が連通接続されるようにしている。この接続により、既存の除菌装置１に対し、単品で増設用薬液タンク２ａが増設されたり、さらには数珠繋ぎで複数の増設用タンク２ａ〜２ｅが増設される構造している。
【００２１】
すなわち、除菌装置１は、薬液注入モジュール１５を通じて、同モジュール１５に接続された給水配管Ｘ内を流れる井戸水（流体）へ薬液を注入する。ここで、例えば給水仕様の変更、例えば大容量の井戸水を汲み上げることになり、それに伴い大容量の薬液が必要となったとする。
【００２２】
このときは、図１〜図３に示されるように既存の除菌装置１に対し、求められる容量分、増設用薬液タンク２ａ〜２ｅを増設する。
【００２３】
すなわち、この増設には、除菌装置１と隣接して、追加容量分に応じた数量の増設用薬液タンクを左右方向、前後方向に設置する。本実施形態では５個の増設用薬液タンク２ａ〜２ｅをドレン口部相互が向き合う位置関係となるように並べて設置する。そして、向き合う各ドレン口部から、プラグ１１を取り外し、代わりに図３に示されるように増設タンク用接続部２５のニップル２６を装着（例えばねじ込み）し、ニップル２６間を、開閉コック２８が介装されたホース部材２７でつなぐ。この接続により、図１および図２に示されるように除菌装置１の薬液槽６に、求められる容量分、薬液槽６が接続される。つまり、必要な容量分の薬液槽６が増設され、大容量の薬液量が確保される。
【００２４】
したがって、薬液槽６のドレン口部１０ａ，１０ｂを用いて、増設用薬液タンク２ａ〜２ｅ（増設用器）を増設する構造や方法は、たとえ既設の除菌装置１の薬液タンク６で足りずに大容量の薬液が必要になったとしても、新たに大形の薬液タンクを装備する除菌装置１と交換せずに、既設置ずみの除菌装置１をそのまま利用して、大容量の薬液量が貯溜できる。しかも、増設用薬液タンク２ａ〜２ｅは、除菌装置６から注入機器を除いた部品から構成されるので、別途、特別に大きな槽を発注して製作するのとは異なり、若干の変更があっても増設に費やすコストは安価ですむ。
【００２５】
そのうえ、複数の増設用薬液タンク２ａ〜２ｅは、異なる地点に有るドレン口部１０ａ〜１０の採用により、数珠繋ぎ式の接続で、どのような多くの薬液容量の増加にも簡便に対処できる。
【００２６】
なお、本発明は上述した一実施形態に限定されるものではなく、本発明の主旨を逸脱しない範囲内で種々変更して実施しても構わない。例えば一実施形態では、除菌装置には、２個のドレン口部を有する薬液タンクを用い、増設用薬液タンクには３個のドレン口部を有する薬液タンクを用いたが、各ドレン口部の数量やドレン口部を設ける地点には限定されるものではない。本発明を除菌装置に適用したが、これに限らず、それ以外の薬液を注入する装置（薬液注入装置）に適用してもよい。
【図面の簡単な説明】
【００２７】
【図１】本発明の一実施形態に係る薬液注入装置の増設構造を示す正面図。
【図２】同じく増設構造の平面図。
【図３】薬液注入装置と増設用器との接続、増設用器同士の接続を説明する図。
【図４】薬液注入装置の構造を説明する図。
【図５】増設用器の構造を説明する図。
【符号の説明】
【００２８】
１…除菌装置（薬液注入装置）、２ａ〜２ｄ…増設用薬液タンク（増設用器）、６…薬液タンク（薬液槽）、１０ａ〜１０ｃ…ドレン口部、１４，１５，２０…薬液注入ポンプ，薬液注入モジュール，電装箱（注入機器）、２５…増設タンク用接続部（接続手段）。
【図１】
2006075674.tif 000003
【図２】
2006075674.tif 000004
【図３】
2006075674.tif 000005
【図４】
2006075674.tif 000006
【図５】
2006075674.tif 000007